【手続補正書】
【提出日】平成28年12月6日(2016.12.6)
【手続補正１】
【補正対象書類名】特許請求の範囲
【補正対象項目名】全文
【補正方法】変更
【補正の内容】
【特許請求の範囲】
【請求項１】
装着された電池を認証する認証手段と、
前記認証手段による認証処理の完了前に第１の処理の実行指示がなされた場合、前記認証処理の完了前には前記第１の処理を実行せず、前記認証手段による認証処理の完了前に第２の処理の実行指示がなされた場合には、前記認証処理の完了前であっても前記第２の処理を実行するように制御する制御手段と、を有し、
前記制御手段は、前記認証手段による認証処理の完了前に前記第１の処理の実行指示がなされた場合、前記認証処理の完了前には前記第１の処理を実行せず、前記認証処理が完了した後、認証がされた場合に前記第１の処理を実行するように制御することを特徴とする電子機器。
【請求項２】
撮像手段と、
装着された電池を認証する認証手段と、
前記認証手段による認証処理の完了前に第１の処理の実行指示がなされた場合、前記認証処理の完了前には前記第１の処理を実行せず、前記認証手段による認証処理の完了前に前記撮像手段による撮像を含む第２の処理の実行指示がなされた場合には、前記認証処理の完了前であっても前記第２の処理を実行するように制御する制御手段と、を有することを特徴とする電子機器。
【請求項３】
装着された電池を認証する認証手段と、
前記認証手段による認証処理の完了前に第１の処理の実行指示がなされた場合、前記認証処理の完了前には前記第１の処理を実行せず、前記認証手段による認証処理の完了前に画像の再生処理を含む第２の処理の実行指示がなされた場合には、前記認証処理の完了前であっても前記第２の処理を実行するように制御する制御手段と、を有することを特徴とする電子機器。
【請求項４】
前記制御手段は、前記認証手段による認証処理の完了前に前記第１の処理の実行指示がなされた場合、前記認証処理の完了前には前記第１の処理を実行せず、前記認証処理が完了した後、認証がされた場合に前記第１の処理を実行するように制御することを特徴とする請求項２または３に記載の電子機器。
【請求項５】
撮像手段をさらに有し、
前記第２の処理は、前記撮像手段による撮像を含む処理を含むことを特徴とする請求項１に記載の電子機器。
【請求項６】
前記第２の処理は、撮像手段による静止画の撮影処理を含むことを特徴とする請求項１または２に記載の電子機器。
【請求項７】
前記第２の処理は、撮像手段による動画の記録処理を含むことを特徴とする請求項１または２に記載の電子機器。
【請求項８】
前記第２の処理は、画像の再生処理を含むことを特徴とする請求項１に記載の電子機器。
【請求項９】
前記認証手段による認証処理が完了し、認証されなかった場合には、前記電池に関する確認画面を表示するように制御する表示制御手段をさらに有することを特徴とする請求項１ないし８のいずれか１項に記載の電子機器。
【請求項１０】
前記表示制御手段は、前記認証手段による認証処理の完了前に前記第１の処理の実行指示がなされ、前記認証処理が完了した後、認証がされなかった場合に前記確認画面を表示するように制御することを特徴とする請求項９に記載の電子機器。
【請求項１１】
前記確認画面に表示された選択肢のうち特定の選択肢に対するユーザの選択操作に応じて、前記電子機器の電源をオフする電源制御手段をさらに有することを特徴とする請求項９または１０に記載の電子機器。
【請求項１２】
前記第１の処理は、外部機器との接続処理を含むことを特徴とする請求項１ないし１１のいずれか１項に記載の電子機器。
【請求項１３】
前記制御手段は、前記認証処理の完了前であっても、接続する外部機器の選択および選択された外部機器との接続処理の実行指示を受け付けることを特徴とする請求項１２に記載の電子機器。
【請求項１４】
前記制御手段は、前記認証手段による認証処理の完了前に前記接続処理の実行指示がなされた場合、前記認証処理の完了前には前記接続処理を実行せず、接続待機画面を表示するように制御することを特徴とする請求項１３に記載の電子機器。
【請求項１５】
前記第１の処理は、画像から登録された人物の顔を検出する個人認証に関する設定処理を含むことを特徴とする請求項１ないし１３のいずれか１項に記載の電子機器。
【請求項１６】
前記第１の処理は、動画の編集処理を含むことを特徴とする請求項１ないし１３のいずれか１項に記載の電子機器。
【請求項１７】
装着された電池を認証する認証ステップと、
前記認証ステップによる認証処理の完了前に第１の処理の実行指示がなされた場合、前記認証処理の完了前には前記第１の処理を実行せず、前記認証ステップによる認証処理の完了前に第２の処理の実行指示がなされた場合には、前記認証処理の完了前であっても前記第２の処理を実行するように制御する制御ステップと、を有し、
前記制御ステップでは、前記認証ステップによる認証処理の完了前に前記第１の処理の実行指示がなされた場合、前記認証処理の完了前には前記第１の処理を実行せず、前記認証処理が完了した後、認証がされた場合に前記第１の処理を実行するように制御することを特徴とする電子機器の制御方法。
【請求項１８】
撮像手段を有する電子機器の制御方法であって、
装着された電池を認証する認証ステップと、
前記認証ステップによる認証処理の完了前に第１の処理の実行指示がなされた場合、前記認証処理の完了前には前記第１の処理を実行せず、前記認証ステップによる認証処理の完了前に前記撮像手段による撮像を含む第２の処理の実行指示がなされた場合には、前記認証処理の完了前であっても前記第２の処理を実行するように制御する制御ステップと、を有することを特徴とする電子機器の制御方法。
【請求項１９】
装着された電池を認証する認証ステップと、
前記認証ステップによる認証処理の完了前に第１の処理の実行指示がなされた場合、前記認証処理の完了前には前記第１の処理を実行せず、前記認証ステップによる認証処理の完了前に画像の再生処理を含む第２の処理の実行指示がなされた場合には、前記認証処理の完了前であっても前記第２の処理を実行するように制御する制御ステップと、を有することを特徴とする電子機器の制御方法。
【請求項２０】
コンピュータを、請求項１ないし１６のいずれか１項に記載された電子機器の各手段として機能させるためのプログラム。
【請求項２１】
コンピュータを、請求項１ないし１６のいずれか１項に記載された電子機器の各手段として機能させるためのプログラムを格納したコンピュータが読み取り可能な記憶媒体。
【手続補正２】
【補正対象書類名】明細書
【補正対象項目名】０００９
【補正方法】変更
【補正の内容】
【０００９】
上記課題を解決し、目的を達成するために、本発明の電子機器は、装着された電池を認証する認証手段と、前記認証手段による認証処理の完了前に第１の処理の実行指示がなされた場合、前記認証処理の完了前には前記第１の処理を実行せず、前記認証手段による認証処理の完了前に第２の処理の実行指示がなされた場合には、前記認証処理の完了前であっても前記第２の処理を実行するように制御する制御手段と、を有し、前記制御手段は、前記認証手段による認証処理の完了前に前記第１の処理の実行指示がなされた場合、前記認証処理の完了前には前記第１の処理を実行せず、前記認証処理が完了した後、認証がされた場合に前記第１の処理を実行するように制御する。
【手続補正３】
【補正対象書類名】明細書
【補正対象項目名】００３３
【補正方法】変更
【補正の内容】
【００３３】
外部Ｉ／Ｆ２１７は、無線アンテナや有線ケーブルによって外部機器３００と通信可能に接続し、映像や音声の送受信を行う。外部Ｉ／Ｆ２１７は無線ＬＡＮ（Ｌｏｃａｌ Ａｒｅａ Ｎｅｔｗｏｒｋ）やインターネットにも接続可能である。外部Ｉ／Ｆ２１７は撮像部２０５で撮像された画像データ（スルー画像を含む）や、記録媒体１１０に記録されている画像ファイルを外部機器３００に送信でき、また、外部機器３００から画像データやその他の各種情報を受信できる。
【手続補正４】
【補正対象書類名】明細書
【補正対象項目名】００８０
【補正方法】変更
【補正の内容】
【００８０】
ステップＳ６１１では、システム制御部２０１は、電源オフ要求があったか否かを判定する。判定の結果、電源オフ要求がない場合はステップＳ６１２へ進み、電源オフ要求があった場合は本処理を終了する。
【手続補正５】
【補正対象書類名】明細書
【補正対象項目名】０１０９
【補正方法】変更
【補正の内容】
【０１０９】
ステップＳ９０６では、システム制御部２０１は、ユーザ操作により無線接続開始指示が行われたか否かを判定する。判定の結果、無線接続開始指示が行われた場合はステップＳ９０７に進み、行われていない場合はステップＳ９０２に戻る。なお、無線接続開始指示に関するユーザ操作には、接続方式の選択（カメラをアクセスポイントとするか、他のアクセスポイントを介して接続するか、等）、接続相手機器の選択操作（ＳＳＩＤなどの接続ＩＤの入力を含んでも良い）、選択した接続相手機器への接続の実行開始指示が含まれる。
【手続補正６】
【補正対象書類名】明細書
【補正対象項目名】０１１９
【補正方法】変更
【補正の内容】
【０１１９】
また、ステップＳ９１８（Ｓ９２１）では、システム制御部２０１は、電源オフ要求がない場合はステップＳ９０６（Ｓ９１２）へ進み、電源オフ要求があった場合は本処理を終了する。